(57)【要約】  本発明は、マーク（２０）を備えたタイヤ用のモールド（３）のためのモールド要素（２）に関し、モールドは、タイヤ（１）のサイドウォール（１０）を成型するようになったシェル（４）を有する。モールド要素（２）は、これがシェルのハウジング内に設けられるようになった取り外し可能なインサートの形態をなしており、マーク（２０）がタイヤ（１）上に符号化マトリックス記号を成型して符号化マトリックス記号がタイヤのサイドウォールとコントラストをなすようになっており、マーク（２０）が符号化マトリックス記号（５）の暗色部を成型するよう設計された第１の組をなす空所（２０１）又は突起（２０２）を含むことを特徴としている。
2017514728.tif 000002
【特許請求の範囲】
【請求項１】
マーキング（２０）を備えたタイヤ（１）用のモールド（３）のためのモールド要素（２）であって、前記モールド（３）は、前記タイヤ（１）のサイドウォール（１０）を成型するようになったシェル（４）を有する、モールド要素（２）において、前記モールド要素（２）は、前記シェル（４）のハウジング（４０）内に設けられるようになった取り外し可能なインサートであり、前記マーキング（２０）は、前記タイヤ（１）上に前記タイヤ（１）の前記サイドウォール（１０）とコントラストをなす符号化マトリックス記号（５）を成型するようになっており、前記マーキング（２０）は、前記符号化マトリックス記号（５）の暗色部（５０）を成型するよう設計された第１の組をなす空所（２０１）又は突起（２０２）を含む、モールド要素（２）。
【請求項２】
前記マーキング（２０）は、前記モールド要素（２）から突き出ると共に前記符号化マトリックス記号（５）の明色部（５１）を成型するようになった第２の組をなす突起（２０３）を含み、前記突起（２０３）は、球のキャップの形状を有し、各突出要素（２０３）は、幾つかの隣接の突出要素と相互に入り込んだ形態（２０）をなしている、請求項１記載のモールド要素（２）。
【請求項３】
前記マーキング（２０）は、前記符号化マトリックス記号（５）の明色部（５１）を成型するよう設計された１組の引っ込められた凹部（２０４）を含み、前記引っ込められた凹部（２０４）は、球のキャップの形状を有する、請求項１又は２記載のモールド要素（２）。
【請求項４】
前記モールド要素（２）は、前記符号化マトリックス記号（５）を描く境界画定ゾーン（５２）を成型するよう設計された第２の組をなす空所（２０５）を有する、請求項１〜３のうちいずれか一に記載のモールド要素（２）。
【請求項５】
前記空所（２０１）の第１の組に属する前記空所は、円錐形の形状を有すると共に１平方ミリメートル（ｍｍ2）当たり少なくとも１つのコーンに等しい密度で前記マーキング（２０）全体にわたって分布して配置されており、各コーン（２０１）は、０．０００５ｍｍ2〜１ｍｍ2の平均断面積を有する、請求項１〜４のうちいずれか一に記載のモールド要素（２）。
【請求項６】
前記空所（２０１）の第１の組に属する前記空所は、実質的に相互に平行な線条の形態を有し、前記線条の間隔は、多くとも０．５ｍｍに等しく、各線条（２０１）は、０．０２ｍｍ〜０．２５ｍｍの平均幅を有する、請求項１〜５のうちいずれか一に記載のモールド要素（２）。
【請求項７】
前記空所（２０１）の第１の組に属する前記空所は、辺の長さ（Ｃ）が０．０５ｍｍ〜０．５ｍｍ、深さ（Ｈ）が０．０５ｍｍ〜０．５ｍｍである平行六面体の形状を有し、前記マーキング（２０）中の２つの隣り合う空所相互間の距離は、０．０５ｍｍ〜０．５ｍｍである、請求項１〜６のうちいずれか一に記載のモールド要素（２）。
【請求項８】
前記突起（２０２）の第１の組に属する前記突起は、円錐形の形状を有すると共に１平方ミリメートル（ｍｍ2）当たり少なくとも１つの突起に等しい密度で前記マーキング（２０）全体にわたって分布して配置され、前記突起は、０．０１ｍｍ〜１．２ｍｍの等価直径を有する、請求項１〜７のうちいずれか一に記載のモールド要素（２）。
【請求項９】
タイヤ（１）のサイドウォール（１０）を成型するようになったシェル（４）を有するタイヤ（１）用のモールド（６）であって、前記シェル（４）は、請求項１〜８のうちいずれか一に記載のモールド要素（２）が収容されたハウジング（４０）を有する、モールド（６）。
【請求項１０】
タイヤ（１）用のモールド（３）のためのモールド要素（２）を製造する方法（Ｐ）であって、前記モールド（３）は、前記タイヤ（１）の前記サイドウォール（１０）を成型するようになったシェル（４）を有し、前記モールド要素（２）は、前記シェル（４）のハウジング（４０）内に設けられるようになっていて、マーキング（２０）を有する取り外し可能なインサートである、方法において、前記方法（Ｐ）は、
‐前記モールド要素（２）をアルミニウムのシートから取り出すステップを含み、
‐前記タイヤ（１）上に前記タイヤ（１）の前記サイドウォール（１０）とコントラストをなす符号化マトリックス記号（５）を成型するようになった前記マーキング（２０）を作製するステップを含み、前記符号化マトリックス記号（５）は、暗色部（５０）及び明色部（５１）を含み、前記マーキング（２０）の作製ステップは、
‐前記符号化マトリックス記号（５）の前記明色部（５１）を成型するのに適した前記マーキングを前記モールド要素（２）内に作製するステップと、
‐前記符号化マトリックス記号（５）の前記暗色部（５０）を成型するのに適した前記マーキングを前記モールド要素（２）内に作製するステップとを含む、製造方法。
【請求項１１】
前記符号化マトリックス記号（５）の前記明色部（５１）及び前記暗色部（５０）を前記モールド要素（２）内に成型するのに適した前記マーキングを作製する前記ステップは、前記モールド要素（２）をプレス加工することによって同時に実施される、請求項１０記載の方法。
【請求項１２】
前記符号化マトリックス記号（５）の前記明色部（５１）を前記モールド要素（２）内に成型するのに適した前記マーキングを作製する前記ステップは、前記アルミニウムのシートからの前記モールド要素（２）の前記取り出し前に実施される、請求項１０記載の製造方法。
【請求項１３】
前記符号化マトリックス記号（５）の前記明色部（５１）を成型するのに適した前記マーキングの前記作製ステップは、以下のようにすることによって実施され、即ち、
‐前記モールド要素（２）の表面が前記明色部（５１）に対応するようにするよう前記モールド要素（２）を表面処理することによって実施され、又は
‐前記モールド要素（２）から突き出た前記第２の組をなす突起（２０３）のマイクロショットピーニングを行って前記突起（２０３）が球のキャップの形状を有するよう前記符号化マトリックス記号（５）の前記マーキング（２０）を形成することによって実施され、各突出要素（２０３）は、前記マーキング（２０）内で幾つかの隣接の突出要素と相互に入り込んだ形態をなし、前記第２の組をなす突起（２０３）は、前記符号化マトリックス記号（５）の前記明色部（５１）を成型するのに適しており、又は
‐球のキャップの形状を有する引っ込められた組をなす凹部（２０４）を成型することによって実施され、前記組をなす凹部（２０４）は、前記符号化マトリックス記号（５）の前記明色部（５１）を成型するのに適している、請求項１０又は１２記載の製造方法。
【請求項１４】
前記マイクロショットピーニングは、直径が１０μｍ〜２００μｍのマイクロビーズを作る、請求項１３記載の製造方法。
【請求項１５】
前記符号化マトリックス記号（５）の前記暗色部（５０）を成型するのに適した前記マーキング（２０）を前記モールド要素（２）内に作製する前記ステップは、前記符号化マトリックス記号（５）の前記暗色部（５０）を成型するのに適した前記モールド要素（２）内に第１の組をなす空所（２０１）又は突起（２０２）を形成することによって実施され、前記モールド要素（２）内における前記第１の組をなす空所（２０１）の前記形成は、レーザエッチングによって実施され、前記モールド要素（２）内における前記第１の組をなす突起（２０２）の形成は、成型によって実施される、請求項１０又は請求項１２〜１４のうちいずれか一に記載の製造方法。
【発明の詳細な説明】
【技術分野】
【０００１】
本発明は、マーキング（又はマーク）を有するタイヤ用のモールドのためのモールド（成型）要素に関し、このモールドは、タイヤサイドウォールを成型するようになったシェルを有する。
【０００２】
本発明は又、モールド要素が収容されたタイヤ用のモールドに関する。
【０００３】
最後に、本発明は、タイヤ用モールドのためのモールド要素を製造する方法に関する。
【背景技術】
【０００４】
タイヤのサイドウォール上への符号化（コード化）マトリックス記号の使用は、欧州特許第１６３６１１７号明細書から知られており、符号化マトリックス記号は、例えば当該タイヤに関する個々のシリアルナンバー、タイヤ製造業者のウェブサイト等の情報を含む。符号化マトリックス記号は、暗色部及び明色部を含み、この符号化マトリックス記号は、タイヤが全ての製造段階及び全てのコンフォーミティ検査を経た後にタイヤのサイドウォール上に直接エッチングされる。製造後、各タイヤは、符号化マトリックス記号の製造のための専用ライン上に置かれ、この専用ラインは、特に製造ライン上へのタイヤの位置決め、タイヤ上の位置基準の読み取り、この基準位置に基づくタイヤとレーザの位置合わせ、符号化マトリックス記号のレーザエッチングによるマーク付けを含む種々のステップを実施する。
【先行技術文献】
【特許文献】
【０００５】
【特許文献１】欧州特許第１６３６１１７号明細書
【発明の概要】
【発明が解決しようとする課題】
【０００６】
この従来技術に関する一欠点は、専用レーザエッチング製造ラインが稼動するのが複雑であり、しかも費用が高くつくということにある。さらに、タイヤが摩耗状態になると、符号化マトリックス記号は、判読しにくくなる。
【０００７】
今や、タイヤのサイドウォール上に存在する符号化マトリックス記号の判読性を向上させて符号化マトリックス記号を読み取りやすくすると同時に符号化マトリックス記号のマーキングの製造を良好に実施させることが要望されている。
【０００８】
定義
【０００９】
「タイヤ」は、内圧を受けるにせよ受けないにせよいずれにせよ、あらゆる形式の弾性タイヤを意味している。
【００１０】
「ゴム状材料」は、ジエンエラストマー、即ち、公知のように、少なくとも一部（即ち、ホモポリマー又はコポリマー）がジエンモノマー（モノマーは、２つの共役又は非共役炭素‐炭素二重結合を有する）から誘導されたエラストマーを意味している。
【００１１】
「符号化マトリックス記号」は、いわゆる「スマート」コードを意味し、このスマートコードでは、データは、二次元（複数の行と列の形態）に符号化され、データは、機械のイメージャ、例えば携帯電話によって復号化可能である。符号化マトリックス記号は、同一の所与の表面積の場合、伝統的な直線バーコードよりも明らかに多量のデータを符号化し、この符号化マトリックス記号は、組み込み式誤り訂正システムを有する。
【００１２】
タイヤの「トレッド」は、側面及び２つの主要な表面によって境界付けられた或る量のゴム状材料を意味しており、２つの主要表面のうちの一方は、タイヤが走行しているときに路面に接触するようになっている。
【００１３】
タイヤの「サイドウォール」は、タイヤトレッドとこのタイヤのビードとの間に位置するタイヤの側面を意味している。
【００１４】
「テキスチャ」は、複数の要素の組織化された配列体を意味しており、この配列体の要素の全て又はこれら要素のうちの何割かは、１つの単一基本要素、例えばストランド又は板状体を繰り返したものである。
【００１５】
「ストランド」は、高さがこのストランドの平均断面積と同一の表面積を有する円板の直径の少なくとも２倍に等しい糸状要素を意味している。
【００１６】
「板状体」は、高さの少なくとも２倍に等しい長さを有する細長いストランドを意味している。
【００１７】
「サイドウォールの一体部として形成されたテキスチャ」は、テキスチャがタイヤのサイドウォールと同一のゴム状材料で作られていることを意味している。この場合、これにより、別の材料を追加しなくてもテキスチャが作られる。
【課題を解決するための手段】
【００１８】
本発明は、マーキングを備えたタイヤ用のモールドのためのモールド要素であって、モールドは、タイヤのサイドウォールを成型するようになったシェルを有する。モールド要素は、シェルのハウジング内に設けられるようになった取り外し可能なインサートであり、マーキングは、タイヤ上にタイヤのサイドウォールとコントラストをなす符号化マトリックス記号を成型するようになっており、マーキングは、符号化マトリックス記号の暗色部を成型するよう設計された第１の組をなす空所又は突起を含むことを特徴とするモールド要素に関する。
【００１９】
かくして、マーキングをモールド要素上に作製することにより、タイヤの製造時点においてタイヤのサイドウォール上に符号化マトリックス記号を作製することができる。もはや専用製造ラインを設ける必要はない。さらに、マーキングは、タイヤのサイドウォールの残部及び更に符号化マトリックス記号の明色部と強いコントラストをなす符号化マトリックス記号の暗色部を含む符号化マトリックス記号の作製が可能である。符号化マトリックス記号は、かくして、読み取りやすくなる。
【００２０】
幾つかの非限定的な実施形態によれば、タイヤは、以下の追加の特徴のうちの１つ又は２つ以上を更に有するのが良い。
【００２１】
非限定的な一実施形態では、マーキングは、モールド要素から突き出ると共に符号化マトリックス記号の明色部を成型するようになった第２の組をなす突起を含み、突起は、球のキャップの形状を有し、各突出要素は、幾つかの隣接の突出要素と相互に入り込んだ形態をなしている。
【００２２】
これにより、サイドウォールの表面から引っ込められた要素を形成することができる。
【００２３】
非限定的な一実施形態では、マーキングは、符号化マトリックス記号の明色部を成型するよう設計されている１組の引っ込められた凹部を含み、セットバック凹部は、球のキャップの形状を有する。
【００２４】
これにより、サイドウォールの表面から突き出たボス要素を形成することができる。
【００２５】
非限定的な一実施形態では、モールド要素は、符号化マトリックス記号を描く境界画定ゾーンを成型するよう設計された第２の組をなす空所を有する。
【００２６】
これにより、サイドウォールの一体部として形成されると共にタイヤの残部とコントラストをなすテキスチャ付きゾーンを形成することができる。
【００２７】
非限定的な一実施形態では、空所の第１の組に属する空所は、円錐形の形状を有すると共に１平方ミリメートル（ｍｍ2）当たり少なくとも１つのコーンに等しい密度でマーキング全体にわたって分布して配置されており、各コーンは、０．０００５ｍｍ2〜１ｍｍ2の平均断面積を有する。
【００２８】
これにより、サイドウォールの表面から突き出ると共にストランドの形態を取る要素を形成することができる。
【００２９】
非限定的な一実施形態では、空所の第１の組に属する空所は、実質的に相互に平行な線条の形態を有し、線条の間隔は、多くとも０．５ｍｍに等しく、各線条は、０．０２ｍｍ〜０．２５ｍｍの平均幅を有する。
【００３０】
これにより、サイドウォールの表面から突き出ると共に板状体の形態をなす要素を形成することができる。
【００３１】
非限定的な一実施形態では、空所の第１の組に属する空所は、辺の長さが０．０５ｍｍ〜０．５ｍｍ、深さが０．０５ｍｍ〜０．５ｍｍである平行六面体の形状を有し、マーキング中の２つの隣り合う空所相互間の距離は、０．０５ｍｍ〜０．５ｍｍである。
【００３２】
これにより、平行六面体の形態をなす突出要素を形成することができる。
【００３３】
非限定的な一実施形態では、突起の第１の組に属する突起は、円錐形の形状を有すると共に１平方ミリメートル（ｍｍ2）当たり少なくとも１つの突起に等しい密度でマーキング全体にわたって分布して配置され、突起は、０．０１ｍｍ〜１．２ｍｍの等価直径を有する。
【００３４】
これにより、サイドウォールの表面から引っ込められた要素を形成することができる。
【００３５】
また、タイヤのサイドウォールを成型するようになったシェルを有するタイヤ用のモールドであって、このシェルが同一の特徴のうちの任意の１つによるモールド要素が収納されたハウジングを有することを特徴とするモールドが提案される。
【００３６】
また、タイヤ用のモールドのためのモールド要素を製造する方法であって、モールドは、タイヤのサイドウォールを成型するようになったシェルを有し、モールド要素は、シェルのハウジング内に設けられるようになっていて、マーキングを有する取り外し可能なインサートである、方法において、方法は、
‐モールド要素をアルミニウムのシートから取り出すステップを含み、
‐タイヤ上にタイヤのサイドウォールとコントラストをなす符号化マトリックス記号を成型するようになったマーキングを作製するステップを含み、符号化マトリックス記号は、暗色部及び明色部を含み、マーキングの作製ステップは、
‐符号化マトリックス記号の明色部を成型するのに適したマーキングをモールド要素内に作製するステップと、
‐符号化マトリックス記号の暗色部を成型するのに適したマーキングをモールド要素内に作製するステップとを含むことを特徴とする製造方法が提案される。
【００３７】
非限定的な一実施形態では、符号化マトリックス記号の明色部をモールド要素内に成型するのに適したマーキングを作製するステップは、モールド要素をプレス加工することによって同時に実施される。
【００３８】
非限定的な一実施形態では、符号化マトリックス記号の明色部及び暗色部をモールド要素内に成型するのに適したマーキングを作製するステップは、アルミニウムのシートからのモールド要素の取り出し前に実施される。
【００３９】
非限定的な一実施形態では、符号化マトリックス記号の明色部を成型するのに適したマーキングの作製ステップは、以下のようにすることによって実施され、即ち、
‐モールド要素の表面が明色部に対応するようにするようモールド要素を表面処理することによって実施され、又は
‐モールド要素から突き出た第２の組をなす突起のマイクロショットピーニングを行って突起が球のキャップの形状を有するよう符号化マトリックス記号のマーキングを形成することによって実施され、各突出要素は、マーキング内で幾つかの隣接の突出要素と相互に入り込んだ形態をなし、第２の組をなす突起は、符号化マトリックス記号の明色部を成型するのに適しており、又は
‐球のキャップの形状を有する引っ込められた組をなす凹部を成型することによって実施され、組をなす凹部は、符号化マトリックス記号の明色部を成型するのに適している。
【００４０】
非限定的な一実施形態では、マイクロショットピーニングは、直径が１０μｍ〜２００μｍのマイクロビーズを作る。
【００４１】
非限定的な一実施形態では、符号化マトリックス記号の暗色部を成型するのに適したマーキングをモールド要素内に作製するステップは、符号化マトリックス記号の暗色部を成型するのに適したモールド要素内に第１の組をなす空所又は突起を形成することによって実施され、モールド要素内における第１の組をなす空所の形成は、レーザエッチングによって実施され、モールド要素内における第１の組をなす突起の形成は、成型によって実施される。
【００４２】
本発明の別の特徴及び別の利点は、添付の図面を参照して非限定的な実施例により与えられる以下の説明から明らかになろう。
【図面の簡単な説明】
【００４３】
【図１】本発明の非限定的な一実施形態によるモールド要素を有するモールドの半径方向概略断面図である。
【図２】図１のモールド要素の概略斜視図であり、モールド要素が非言的的な一実施形態に従って符号化マトリックス記号のネガに対応したマーキングを有する状態を示す図である。
【図３】図２のモールド要素によって作製された符号化マトリックス記号が設けられたサイドウォールを有するタイヤの一部の概略斜視図である。
【図４】非限定的な一実施形態に従って図３のサイドウォールのための符号化マトリックス記号を示す図であり、この符号化マトリックス記号が暗色部及び明色部を含み、明色部が特定のテキスチャで構成されている状態を示す図である。
【図５】境界画定ゾーンによって包囲された図４のサイドウォールの符号化マトリックス記号を示す図である。
【図６】非限定的な第１の実施形態に従って符号化マトリックス記号の暗色部を成型するための図１のモールド要素の一部の断面図である。
【図７】非限定的な第２の実施形態に従って符号化マトリックス記号の暗色部を成型するための図１のモールド要素の一部の断面図である。
【図８】図６のモールド要素によって得られた符号化マトリックス記号の暗色部を構成するテキスチャの一部を示す図である。
【図９】図６のモールド要素によって得られた符号化マトリックス記号の暗色部を構成するテキスチャの一部を示す図である。
【図１０】非限定的な第３の実施形態に従って符号化マトリックス記号の暗色部を成型するための図１のモールド要素の一部の断面図である。
【図１１】図１０のモールド要素によって得られた符号化マトリックス記号の暗色部を構成するテキスチャの一部を示す図である。
【図１２】非限定的な第４の実施形態に従って符号化マトリックス記号の暗色部を成型するための図１のモールド要素の一部の断面図である。
【図１３】図１２のモールド要素によって得られた符号化マトリックス記号の暗色部を構成するテキスチャの一部を示す図である。
【図１４】非限定的な第１の実施形態に従って符号化マトリックス記号の明色部を成型するための図１のモールド要素の一部の断面図である。
【図１５】図１４のモールド要素によって得られた符号化マトリックス記号の明色部を構成するパターンの複数の凹み要素の一部を示す図である。
【図１６】非限定的な第２の実施形態に従って符号化マトリックス記号の明色部を成型するための図１のモールド要素の一部の断面図である。
【図１７】図１６のモールド要素によって得られた符号化マトリックス記号の明色部を構成するパターンの複数の凹み要素の一部を示す図である。
【図１８】非限定的な一実施形態に従って図６、図７、図１０、図１２、図１４、図１６のモールド要素を製造する方法の流れ図である。
【発明を実施するための形態】
【００４４】
以下の説明において、実質的に同一又は類似した要素は、同一の参照符号で示される。
【００４５】
図１は、モールド３を示し、このモールド３は、
‐タイヤ１のサイドウォール１０を成型するようになったシェル４、このシェルは、モールド要素２が収容されたハウジング４０を有し、
‐円錐形にテーパしたバンド３１によって閉鎖状態に保持されたセグメント３０、
‐マーキング２０を有するモールド要素２を有する。
【００４６】
モールド要素２は、シェル４のハウジング４０内に設けられるようになった取り外し可能なインサートである。非限定的な一実施形態では、インサート２は、アルミニウムで作られている。これにより、延性があり、従って、インサート２内にマーキングを作製するのを容易にする取り外し可能なインサートを得ることができる。マーキング２０は、タイヤ上に、タイヤのサイドウォールとコントラストをなす符号化マトリックス記号５を成型するようになっている。したがって、マーキング２０は、タイヤ上に刻印されるべき符号化マトリックス記号５のネガに対応している。
【００４７】
図２は、かかるマーキング２０を有するモールド要素２の非限定的な例を示している。注目されるように、取り外し可能なインサート２は、モールド３の形状に一致するよう僅かに湾曲している。したがって、この結果として得られる符号化マトリックス記号５は、タイヤ１のサイドウォールの曲率Ｃ１をたどることになり、この曲率Ｃ１（図３に示されている）は、タイヤの回転軸線に対して平行線に沿って定められる。換言すると、符号化マトリックス記号５は、タイヤ１の回転軸線回りに湾曲した状態になる。これにより、タイヤに魅力的な外観が与えられることになり、その理由は、符号化マトリックス記号５がサイドウォール１０の一体部を形成するように見えるからである。さらに、非限定的な一実施形態では、マーキング２０は、長方形であり、しかも図２に示されているようにインサート２の方向に差し向けられている。その結果得られる符号化マトリックス記号５は、かくして、長方形の形状のものとなる。
【００４８】
図２に示されているように、マーキング２０は、符号化マトリックス記号５の暗色部５０を成型するのに適した第１の組をなす空所２０１又は第１の組をなす突起２０２を含む。さらに、マーキング２０は、このインサート２から突き出ていて且つ符号化マトリックス記号５の明色部５１を成型するのに適した第２の組をなす突起２０３を含む。
【００４９】
図３は、タイヤ１のサイドウォール１０を示しており、このサイドウォール１０は、モールド要素２のマーキング２０を用いて得られる符号化マトリックス記号５を有する。
【００５０】
注目されるように、非限定的な実施形態では、符号化マトリックス記号５は、以下の記号、即ち、
‐datamatrix（商標）、
‐QR（商標）、
‐QR code （商標）、
‐MaxiCode（商標）、
‐PDF-417 （商標）、
‐code 16K（商標）、
‐code 49 （商標）、
‐Aztec （商標）コード又は任意他の符号化マトリックス記号から選択される。
思い起こされるように、符号化マトリックス記号５により、例えば製造業者のマーク、製造業者のウェブサイト等のような情報を符号化することができる。読み取り／復号化手段、例えば非限定的な実施例では携帯電話中に組み込まれたイメージャを用いると、タイヤを見た人は誰であれ、例えば新品のタイヤを注文するために符号化マトリックス記号５を読み取ってこれを復号化し、そして製造業者のウェブサイトにアクセスすることができる。
【００５１】
図４は、復号化マトリックス記号５の非限定的な第１の実施形態を示している。この図で理解できるように、復号化マトリックス記号５は、暗色部５０及び明色部５１を含む。当業者には知られているように、非限定的な一実施形態では、暗色部５０及び明色部５１は、それぞれ、暗色ボックス及び明色ボックスであり、１つの部分（暗色部又は明色部）が１つのボックスに対応している。かくして、符号化マトリックス記号５は、列及び行をなすボックス（又は正方形）を含む。非限定的な一実施形態では、ボックスは、０．５×０．５ｍｍ〜２×２ｍｍのサイズを有する。この範囲外では、符号化マトリックス記号５は、大げさになり又はあまりにもミニチュア化され、従って、脆すぎるので、これをタイヤ１の摩耗寿命の終わりに復号化することができない。非限定的な変形実施形態では、ボックスのサイズは、１×１ｍｍである。別の非限定的な実施形態では、暗色部５０及び明色部５１は、それぞれ、暗色の円及び明色の円である。別の非限定的な実施形態では、ボックスと円の組み合わせを利用することが可能である。
【００５２】
暗色部５０は、サイドウォール１０の一体部として形成されたテキスチャで構成される。このテキスチャは、タイヤ１の残部、特にタイヤ１のサイドウォール１０の残部とコントラストをなし、その結果、符号化マトリックス記号５は、タイヤを見ている人にとってサイドウォール１０上で明らかに目に見えるようになる。
【００５３】
図５は、符号化マトリックス記号５の非限定的な第２の実施形態を示している。この図で理解できるように、暗色部５０及び明色部５１とは別に、符号化マトリックス記号５は、サイドウォールの一体部として形成されると共にタイヤ１の残部とコントラストをなすテキスチャ付きゾーン（又は境界画定ゾーン）５２によって包囲されている。非限定的な一実施形態では、このゾーン５２は、少なくとも２ｍｍの幅Ｌｄを有する。この境界画定ゾーン５２は、符号化マトリックス記号５の暗色ゾーン５０には触れていない。境界画定ゾーンは、暗色部５０と同一の「ベロア」型のテキスチャ（本明細書において後で説明する）で構成され、その結果、符号化マトリックス記号５周りのイメージ捕捉ゾーン中の暗色表面領域の量が増大している。
【００５４】
かくして、暗色表面領域の量をこのようにして増大させることによって、マトリックス記号５の明色領域と暗色領域のコントラストが携帯電話によって実施される処理の際に強められる。したがって、これにより、記号５の読み取り／復号化が向上する。
【００５５】
符号化マトリックス記号５の暗色部５０、明色部５１及び境界画定ゾーン５２は、本明細書の残りの部分に記載される非限定的な実施形態に従ってモールド要素２を用いて作製される。
【００５６】
符号化マトリックス記号５の暗色部５０は、次のようにして作製される。
【００５７】
上述したように、取り外し可能なインサート２のマーキング２０は、符号化マトリックス記号５の暗色部５０を成型するのに適した第１の組をなす空所２０１又は第１の組をなす突起２０２を含む。
【００５８】
第１の組をなす空所２０１は、種々の形状を有する暗色部５０を作製するために上述した種々の形状を有する。
【００５９】
空所２０１は、暗色部５０のネガに対応している。換言すると、複数の空所２０１が暗色ボックス５０のネガに対応している。
【００６０】
図６に示されているように、非限定的な第１の実施形態では、空所２０１の第１の組に属する空所は、円錐形の形を有すると共に１平方ミリメートル（ｍｍ2）当たり少なくとも１つのコーンに等しい密度でマーキング２０全体にわたって分布して配置されており、各コーン２０１は、０．０００５ｍｍ2〜１ｍｍ2の平均断面積Ｓｃを有する。
【００６１】
これにより、サイドウォール１０の表面に対して突き出ると共に図８に示されているようにストランド１１０の形態をなす複数の要素を有する暗色部５０を形成するテキスチャを作製することができる。この図では、ストランド１１０は、これらストランドの高さＨｂに沿って減少する断面を備えた全体として円錐形の形を有する。具体的に説明すると、ストランドの基部から一定間隔で測定された断面積Ｓの平均値に対応した各ストランドの平均断面積は、０．０００５ｍｍ2〜１ｍｍ2である。このテキスチャ内において、ストランドは、１平方ミリメートル当たり少なくとも１本のストランドに等しい密度で分布して配置されている。
【００６２】
また、図６に示されているように、非限定的な第２の実施形態では、空所２０１の第１の組に属する空所は、実質的に相互に平行な線条の形態を有し、これら線条の間隔Ｐｉは、少なくとも０．０５ｍｍに等しく且つ多くとも０．５ｍｍに等しく、各線条２０１は、０．０２ｍｍ〜０．２５ｍｍの平均幅を有する。
【００６３】
これにより、サイドウォール１０の表面から突き出ると共に図９に示されているように板状体１１１の形態をなす複数の要素を有する暗色部５０を形成するテキスチャを作製することができる。この図では、板状体１１１は、全体として三角形の断面を有し、板状体の高さＨｌに沿って一定間隔で測定された幅ｌの平均値に対応した各板状体の平均幅は、０．０２ｍｍ〜０．２５ｍｍである。このテキスチャ内において、板状体１１１は、実質的に相互に平行であり、板状体の間隔Ｐは、少なくとも０．０５ｍｍに等しく且つ多くとも０．５ｍｍに等しい。
【００６４】
別の実施形態では、空所２０１の第１の組に属する空所は、ストランド１１０と板状態１１１の組み合わせから成る暗色部５０を形成するテキスチャを作製するようコーンと線条の組み合わせを呈する。
【００６５】
図７に示されているように、非限定的な一実施形態では、モールド要素２は、符号化マトリックス記号５の境界画定ゾーン５２を成型するのに適した第２の組をなす空所２０５を有し、この境界画定ゾーン５２は上述してある。
【００６６】
図１０に示されているように、非限定的な第３の実施形態では、空所２０１の第１の組に属する空所は、辺の長さＣｐが０．０５ｍｍ〜０．５ｍｍ、深さＨが０．０５ｍｍ〜０．５ｍｍである平行六面体の形状を有し、マーキング２０中の２つの隣り合う空所相互間の距離は、０．０５ｍｍ〜０．５ｍｍである。
【００６７】
これにより、サイドウォール１０の表面から突き出ると共に図１１に示されているように平行六面体１１２の形態をなす複数の要素を有する暗色部５０を形成するテキスチャを作製することができる。この図では、平行六面体１１２は、０．０５ｍｍ〜０．５ｍｍの辺の長さＣ、０．０５ｍｍ〜０．５ｍｍの高さＨｐを有し、テキスチャ中の２つの隣り合う平行六面体１１２相互間の距離Ｄｐは、０．０５ｍｍ〜０．５ｍｍである。
【００６８】
別の実施形態では、空所２０１の第１の組に属する空所は、コーンと線条と平行六面体の組み合わせ、又は線条と平行六面体の組み合わせ、或いは変形例として上述したようにコーンと平行六面体の組み合わせを呈する。
【００６９】
図示していない非限定的な第４の実施形態では、空所２０１の第１の組に属する空所は、様々な形状及び空所相互間の様々な距離を有する。これにより、様々な形状の突出要素を作製することができる。これにより、テキスチャ中に暗色部５０を形成するランダム性が得られ、これら要素を目に見にくくするようにすることができる。
【００７０】
これら突出要素１１０〜１１２は、サイドウォール１０の一体部として形成されたテキスチャを形成し、従って、これら突出要素は、ゴム状材料で作られる。換言すると、暗色ボックス５０には、複数の要素１１０，１１１及び／又は１１２が入っている。突出要素１１０〜１１２が有する作用効果は、テキスチャに入射した多量の入射光線を「捕捉」するという作用効果である。テキスチャ（「ベロア」と言う）により、「ベロア」型の外観を得ることができ、その理由は、突出要素が光を吸収し、かくして符号化マトリックス記号５の暗色部５０を一層黒色にするからである。タイヤを見ている人であれば誰でも、これら暗色部５０を明色部５１及びサイドウォール１０の残部から明確に区別することができよう。さらに、テキスチャは、これが触って心地よいので、「ベロア」型のものである。
【００７１】
図１２に示されているように非限定的な一実施形態に従って第１の組をなす空所２０１の後、マーキング２０の第１の組をなす突起２０２について説明する。マーキング２０は、モールド要素２から突き出た複数の突起２０２及び突起２０２を互いに隔てる昼間部２０２′を含む。突起２０２は、円錐形の形状を有すると共に１平方ミリメートル（ｍｍ2）当たり少なくとも１つの突起に等しい密度でマーキング２０全体にわたって分布して配置されており、これら突起２０２は、全体的形状が円形であって等価直径Ｄｃが０．０１ｍｍ〜１．２ｍｍのベースＢｃを有している。突起の密度及び／又は等価直径Ｄｃは、突起２０２がマーキング２０の或る特定の割合を占めるよう選択される。非限定的な一実施例では、突起２０２は、マーキング２０の少なくとも３０％を占める。他の非限定的な実施形態によれば、突起２０２は、マーキング２０の５０％を占め又はそれどころか７０％以上を占める。
【００７２】
さらに、非限定的な一実施形態では、突起２０２は、少なくとも０．１ｍｍに等しい高さＨｃを有する。実施形態の非限定的な一形態又は変形形態では、高さＨｃは、０．２ｍｍ〜０．６ｍｍである。
【００７３】
突出要素２０２は、暗色部５０のネガに対応している。換言すると、複数の突出要素２０２が暗色ボックス５０のネガに対応している。
【００７４】
突出要素２０２により、図１３に示されているように第１の凹み要素１１３（穴とも言う）を有する暗色部５０を形成するテキスチャを作製することができる。
【００７５】
凹み要素１１３は、サイドウォール１０の表面上に設けられた開口部１１４及びサイドウォール１０の表面の深さ中に延びる関連の空所１１５で構成されている。開口部１１４は、サイドウォール１０の表面の深さ中に引き続き延びて空所１１５を形成している。
【００７６】
空所１１５は、コーンの形態をなしており且つサイドウォール１０の表面の深さ中に減少する断面を有している。このように、テキスチャ及びかくして符号化マトリックス記号５とタイヤ１の残部、特にサイドウォール１０の残部とのコントラストが向上する。注目されるように、この変形形態では、空所１１５の開口部１１４は、互いに触れ合わない。開口部１１４は、中間ゾーン１１６によって互いに隔てられている。さらに、開口部１１４は、テキスチャ中の各開口部相互間の距離ｄがほぼ同一であるようにテキスチャ全体にわたって均等に分布して配置されている。注目されるように、テキスチャ中の開口部の占有レベルが高ければ高いほど、このテキスチャ及びかくして符号化マトリックス記号５の暗色部５０と明色部５１とサイドウォール１０の残部とのコントラストの質がそれだけ一層良好になる。
【００７７】
これら空所１１５が有する作用効果は、テキスチャに入射した多量の入射光線を「捕捉」すると共に更にテキスチャの高い耐久性を提供するという作用効果である。具体的に説明すると、空所１１５がサイドウォール１０の表面中に引っ込められているので、テキスチャに対する機械的攻撃、例えば路面に対する摩擦がもたらす衝撃は、突起の場合よりも小さい。この実施形態では、テキスチャ（「ベロア」と言う）により、光を吸収し、かくして符号化マトリックス記号５の暗色部５０が一層黒く見えるようにするので、「ベロア」型の外観を得ることができる。
【００７８】
符号化マトリックス記号５の暗色部５０の作製について説明したが、本明細書の残部は、符号化マトリックス記号５の明色部５１の作製に関する。
【００７９】
第１の非限定的な実施例では、モールド要素２それ自体により明色部５１を作製することができる。具体的に説明すると、この場合、明色部５１は、上述の「ベロア」型テキスチャで覆われていないサイドウォール１０の表面の一部で構成され、サイドウォールの表面のこの一部は、符号化マトリックス記号５によって占有された空間によって画定される。具体的に説明すると、サイドウォール１０の表面は、滑らかであって光を反射する。タイヤを見ている人は誰でも、灰色を見ることになる。かくして、明色部５１は、上述の暗色部５０に対してコントラストをなすことになる。
【００８０】
図１４に示されている非限定的な第２の実施形態では、マーキング２０は、モールド要素２から突き出ると共に符号化マトリックス記号５の明色部５１を成型するようになった第２の組をなす突起２０３を含み、突起２０３は、球のキャップの形状を有し、各突出要素２０３は、幾つかの隣接の突出要素と相互に入り込んだ形態２０をなしている。かくして、これら突起２０３は、明色部５１のネガに対応している。換言すると、複数の突起２０３が明色ボックス５１のネガに対応している。
【００８１】
「突出要素が他の隣接の突出要素と相互に入り込んだ状態をなす」という表現は、突出要素によって形成された球のキャップが他の隣接の突出要素によって中断され、その結果、球のキャップの頂点と別の隣の突出要素の頂点との間の距離が球のこのキャップの直径よりも小さいことを意味している。
【００８２】
第２の突出要素２０３により、図１５に示されているように凹み要素１１７を備えた明色部５１を形成するパターンを作製することができる。第２の凹み要素１１７は、全て同一の形状を有する。この形状は、開かれた表面である。この形状は、球の一部である。図示の非限定的な実施形態では、第２の凹み要素１１７は、互いに対して整列している。これにより、明色部５１を明確に画定することが可能である。第２の凹み要素１１７は各々、別の第２の凹み要素１１７に隣接して位置している。加うるに、第２の凹み要素１１７は、連結ゾーン１１８のところで互いに繋がっている。
【００８３】
図１６に示された第３の実施形態では、マーキング２０は、符号化マトリックス記号５の明色部５１を成型するのに適した１組の凹部２０４を含み、これら凹部２０４は、球の凹状キャップの形を有している。
【００８４】
凹部２０４により、図１７に示されているようなボス要素１１９を有する明色部５１を形成するパターンを作製することができる。ボス要素１１９は全て、同一の形状を有する。この形状は、閉じられた表面である。この形状は、シェル又はマイクロレンズとも呼ばれる球のキャップである。図示の非限定的な実施形態では、ボス要素１１９は、互いに対して整列している。これにより、明色部５１を明確に画定することが可能である。ボス要素１１９の幾何学的形状は、かくして、凸状である。球の各キャップ１１９は、幾つかの隣接のボス要素と相互に入り込んだ状態をなしている。
【００８５】
非限定的な第４の実施形態（図示せず）では、マーキング２０は、凹み要素１１７とボス要素１１９の組み合わせを作るよう第２の突出要素２０３と凹部２０４の組み合わせを含む。
【００８６】
かくして、明色部５１は、
‐複数の凹み要素１１７、又は
‐複数のボス要素１１９、又は
‐凹み要素１１７とボス要素１１９の組み合わせを含むパターンで構成される。
換言すると、明色ボックス５１は、複数のよう要素１１７及び／又は１１９から成る。これにより、明色ボックス又は明色部５１をサイドウォール１０の滑らかな表面よりも一層明るくすることができる。パターンは又、サイドウォール１０の一体部として形成される。このパターンは、タイヤのサイドウォールと同一のゴム状材料で作られる。したがって、要素１１７，１１９は、ゴム状材料で作られる。
【００８７】
かくして、これら第２の凹み要素１１７／ボス要素１１９により、符号化マトリックス記号５は、タイヤ１を見ている人に対して暗色部５０よりも明るく見え、従って、これら暗色部５０に対して容易に識別することができる明色部５１を含む。これにより、符号化マトリックス記号５の読み取り／復号化が容易になる。
【００８８】
実施するのが容易な製造方法を得るため、非限定的な一実施形態では、パターン中の凹み要素１１７及びボス要素１１９の密度は、１ｍｍ2当たり０．２個以上の要素である。
【００８９】
図１８を参照して以下において、タイヤ用のモールド３のためのモールド要素２及びこのモールド要素のマーキング２０を製造する方法について説明する。
【００９０】
この方法Ｐは、
‐モールド要素２をアルミニウムのシートから取り出すステップ（ＥＸＴ＿Ｅ（２）として示されたステップ１）を含み、
‐タイヤ１上にタイヤ１のサイドウォール１０とコントラストをなす符号化マトリックス記号５を成型するようになったマーキング２０を作製するステップを含み、符号化マトリックス記号５は、暗色部５０及び明色部５１を含み、マーキング２０の作製ステップは、
‐モールド要素２内で符号化マトリックス記号５の明色部５１を成型するのに適したマーキング２０を作製するステップ（ＭＡ＿ＰＣ（２）として示されたステップ２）と、
‐モールド要素２内で符号化マトリックス記号５の暗色部５０を成型するのに適したマーキングを作製するステップ（ＭＡ＿ＰＳ（２）として示されたステップ３）とを含む。
【００９１】
注目されるように、１つ又は２つ以上のインサート２をアルミニウムのシートから同時に取り出すことができる。さらに、非限定的な幾つかの実施形態では、取り出しは、プレス加工法又はトリミングプロセスを用いて実施される。
【００９２】
非限定的な第１の実施形態では、明色部５１のネガの作製（ステップ２）及び暗色部５０のネガの作製（ステップ３）を連続的に実施する。かくして、明色部５１のネガ（即ち、上述した第２の突出要素２０３又は１組の凹部２０４）を最初に作製し、次に暗色部５０のネガ（即ち、上述の第１の組をなす空所２０１又は第１の組をなす突起２０２）を作製する。かくして、明色ボックス５１を作製し、その後に暗色ボックス５０を作製する。
【００９３】
実施形態の非限定的な第１の変形形態では、モールド要素２内に符号化マトリックス記号５の明色部５１を成型するのに適したマーキングの作製は、アルミニウムのシートからのモールド要素２の取り出し後に実施される。
【００９４】
実施形態の非限定的な第２の変形形態では、モールド要素２内に符号化マトリックス記号５の明色部５１を成型するのに適したマーキングの作製は、アルミニウムのシートからのモールド要素２の取り出し前に行われる。かくして、作製は、より迅速である。
【００９５】
非限定的な第２の実施形態では、モールド要素２内に符号化マトリックス記号５の明色部５１（ステップ２）及び暗色部５０（ステップ３）を成型するのに適したマーキング２０の部分を作製するステップは、モールド要素２のプレス加工によって同時に実施される。
【００９６】
これにより、符号化マトリックス記号の安上がりな大量生産方式を得ることができる。
【００９７】
符号化マトリックス記号５の明色部５１を成型するのに適したマーキング２０の部分の作製は、次のようにすることによって実施され、即ち、
‐モールド要素２を表面処理してモールド要素２の表面が明色部５１に対応するようにすることによって実施され（ＴＲ＿Ｓ（２）として示された作業）、又は
‐モールド要素２から突き出た第２の組をなす突起２０３のマイクロショットピーニングを行って突起２０３が球のキャップの形状を有するよう符号化マトリックス記号５のマーキング２０を形成することによって実施され、各突出要素２０３は、マーキング２０内で幾つかの隣接の突出要素と相互に入り込んだ状態をなし、第２の組をなす突起２０３は、符号化マトリックス記号５の明色部５１を成型するのに適しており（ＭＣ＿Ｐ（２０３）として示された作業）、又は
‐球のキャップの形状を有する引っ込められた組をなす凹部２０４を成型することによって実施され、組をなす凹部２０４は、符号化マトリックス記号５の明色部５１を成型するのに適している（ＭＯ＿Ｃ（２０４）として示された作業）。
【００９８】
表面処理は、モールド要素２の表面粗さを表す算術平均偏差パラメータＲａが極めて小さく、そして３０μｍ未満であるように実施される。かくして、モールド要素２は、平均反射光強度を均等にする滑らかな反射面を有する。かくして、明色部５１は、３０μｍ未満のパラメータＲａの表面粗さを有することになる。かくして、光の反射量が最大になる。
【００９９】
非限定的な一実施形態では、マイクロショットピーニングが１０μｍ〜２００μｍの直径のマイクロビーズを作る。実施形態の非限定的な変形形態では、この直径は、５０μｍである。
【０１００】
さらに、符号化マトリックス記号５の暗色部５０を成型するのに適したマーキング２０の作製ステップは、符号化マトリックス記号５の暗色部５０を成型するのに適したモールド要素２内（ステップ３）に第１の組をなす空所２０１又は突起２０２を形成することによって実施され、モールド要素２内における第１の組をなす空所２０１の形成は、レーザエッチング（ＧＲ＿Ｃ（２０１）として示された作業）によって実施され、モールド要素２内における第１の組をなす突起２０２の形成は、成型（ＭＯ＿Ｐ（２０２）として示された作業）によって実施される。
【０１０１】
本発明は、説明すると共に図示した実施例には限定されず、本発明の範囲から逸脱することなくこれら実施例に種々の改造を施すことができる。
【０１０２】
かくして、本発明をマーキング２０と関連して説明した。しかしながら、非限定的な別の例示の実施形態では、モールド要素２は、タイヤ１のサイドウォール１０上に幾つかの符号化マトリックス記号５を作るよう幾つかのマーキング２０を有しても良い。
【０１０３】
かくして、別の非限定的な実施形態によれば、マイクロショットピーニング作業に代えて塑性変形作業を用いることができ、その目的は、例えばプレス加工、ローレット切り、据え込み（アップセット）等を用いてマイクロレンズを形成することにある。
【０１０４】
かくして、別の非限定的な実施形態によれば、暗色ボックス５０をエッチングする作業をレーザを用いないで機械的加工又は打ち抜き（塑性変形）によって実施できる。
【０１０５】
説明した本発明は、特に、以下の利点をもたらす。即ち、
‐タイヤを製造した後に実施するのではなく、一体形モールドを用いて符号化マトリックス記号５の製造をタイヤ１の製造に組み込むことができる。かくして、製造が単純化され、コストが減少する。
‐それにより、暗色部５０の場合にはタイヤのサイドウォールの一体部として形成された「ベロア」型のテキスチャ及び明色部５１の場合には第２の凹み／ボス要素を備えた符号化マトリックス記号５の構成物を作ることができる。
【図１】
2017514728.tif 000003
【図２】
2017514728.tif 000004
【図３】
2017514728.tif 000005
【図４】
2017514728.tif 000006
【図５】
2017514728.tif 000007
【図６】
2017514728.tif 000008
【図７】
2017514728.tif 000009
【図８】
2017514728.tif 000010
【図９】
2017514728.tif 000011
【図１０】
2017514728.tif 000012
【図１１】
2017514728.tif 000013
【図１２】
2017514728.tif 000014
【図１３】
2017514728.tif 000015
【図１４】
2017514728.tif 000016
【図１５】
2017514728.tif 000017
【図１６】
2017514728.tif 000018
【図１７】
2017514728.tif 000019
【図１８】
2017514728.tif 000020
【国際調査報告】
2017514728.tif 000021
2017514728.tif 000022
2017514728.tif 000023
2017514728.tif 000024
2017514728.tif 000025
2017514728.tif 000026